(57)【要約】      （修正有）【課題】竿先とこの竿先以外の部位との剛性を変えずに、シェイキングに適した釣竿にする。【解決手段】釣竿１のトップガイド２又は釣竿１の竿先１０に錘３を備え、錘は、トップガイド又は竿先に対して、固定又は着脱可能に設けられている。釣糸が挿通するガイドリング部と、ガイドリング部を支持し、釣竿の竿先の外周に対して嵌合状に取り付けられる嵌合管部２Ｂと、該嵌合管部と連通するように連設され、竿先の外周に対して嵌合状に取り付けられる管状の錘３とを備える。【選択図】図２
2011135778.tif 000002
【特許請求の範囲】
【請求項１】
釣竿のトップガイド又は釣竿の竿先に錘を備え、該錘は、前記トップガイド又は前記竿先に対して、固定又は着脱可能に設けられていることを特徴とする釣竿。
【請求項２】
釣糸が挿通するガイドリング部と、該ガイドリング部を支持し、釣竿の竿先の外周に対して嵌合状に取り付けられる嵌合管部と、該嵌合管部と連通するように連設され、前記竿先の外周に対して嵌合状に取り付けられる管状の錘とを備えたことを特徴とするトップガイド。
【請求項３】
釣糸が挿通するガイドリング部と、該ガイドリング部を支持し、釣竿の竿先の外周に対して嵌合状に取り付けられる嵌合管部とを備え、該嵌合管部の肉厚部を錘としていることを特徴とするトップガイド。
【請求項４】
釣竿のトップガイドの一部を構成し、前記釣竿の竿先の外周に対して嵌合状に取り付けられる嵌合管部の外周及び／又は、釣竿の竿先の外周に対して嵌合状に取り付けされる管状に形成されていることを特徴とする錘。
【請求項５】
前記釣竿用錘は、径方向に分割された複数の錘部材を備え、該錘部材が前記嵌合管部及び／又は、前記竿先に対して径方向から挟持して取り付けるようにされていることを特徴とする請求項４記載の錘。
【発明の詳細な説明】
【技術分野】
【０００１】
本発明は、釣竿及びトップガイド並びに錘に関する。
【背景技術】
【０００２】
釣竿に求められる基本的な条件は、細身であること、軽量であること、張りを有していることである。特に、ルアー釣りでは、様々なパターンの釣竿の操作で、水中のルアーを魚にアピールするように動かすテクニックを用いるため、ルアー釣りに用いられる釣竿は、前述の細身であること、軽量であること、張りを有していることが、前述のテクニックを用いるのに極めて重要な条件となっている。
【０００３】
前述の基本的な条件を満たす釣竿にするため、現在では、この釣竿の素材に高強度・高弾性のカーボン繊維が使用されたカーボンプリプレグが用いられ、さらに、ガイドの小口径化及び軽量化によっても釣竿の軽量化が図られている。このような釣竿は、前述の様々なパターンによる釣竿の操作が行いやすく、しかも、釣竿の操作を長時間行っても疲れ難いという特徴を備えている。
【０００４】
ところで、最近では、様々な釣竿の操作に夫々対応する釣竿が開発されている。このような釣竿は、例えば、竿先を細かく揺らして水中のルアーを小刻みに動かす「シェイキング」に適したもの、釣糸を張ったり緩めたりするように釣竿を動かして水中のルアーを不規則に動かす「トゥイッチング」や「ジャーキング」に適したもの等がある。
【０００５】
前述のシェイキングは、通常、軽量なソフトルアーを用いるため、全長にわたって張りが強い釣竿であると、竿先だけを細かく動かすことが難しい上に、動かす強弱の調整が難しいものである。そのため、前述のシェイキングに適した釣竿は、竿先のカーボンプリプレグを低弾性にして竿先に柔軟性を確保し、この低弾性のカーボンプリプレグを除く部位から胴部及び元部にわたって高弾性のカーボンプリプレグを用いて張りを確保した構成になっている。この構成の釣竿によれば、竿先に柔軟性を持たせてしなりやすくしたため、竿先だけを細かく動かすことが容易になるとともに、動かす強弱の調整も容易にできる。
【０００６】
しかしながら、竿先に低弾性のカーボンプリプレグを用いた釣竿では、この竿先の剛性と胴部及び元部の剛性とに大きな差が生じている場合、掛けた魚とのやり取りの際にしなりのバランスが悪くなってしまい、扱い難い釣竿となるおそれがあるし、剛性の差により釣竿が折れるおそれもある。
【０００７】
なお、本発明に関連する先行技術文献のうち、出願人が本件特許出願時に知っているものがないので、開示すべき先行技術文献情報はない。
【発明の概要】
【発明が解決しようとする課題】
【０００８】
本発明は、このような問題に対処することを課題とするものである。すなわち、竿先とこの竿先以外の部位との剛性を変えずに、シェイキングに適した釣竿とすることが本発明の目的である。
【課題を解決するための手段】
【０００９】
前記目的を達成するため、本発明の釣竿は、次の構成を少なくとも具備する。
【００１０】
釣竿のトップガイド又は釣竿の竿先に錘を備え、該錘は、前記トップガイド又は前記竿先に対して、固定又は着脱可能に設けられていることを特徴とする。
【００１１】
前記目的を達成するため、本発明のトップガイドは、次の構成を少なくとも具備する。
【００１２】
釣糸が挿通するガイドリング部と、該ガイドリング部を支持し、前記釣竿の竿先の外周に対して嵌合状に取り付けられる嵌合管部と、該嵌合管部と連通するように連設され、前記竿先の外周に対して嵌合状に取り付けられる管状の錘とを備えたことを特徴とする。また、釣糸が挿通するガイドリング部と、該ガイドリング部を支持し、釣竿の竿先の外周に対して嵌合状に取り付けられる嵌合管部とを備え、該嵌合管部の肉厚部を錘としていることを特徴とする。
【００１３】
前記目的を達成するため、本発明の釣竿用錘は、次の構成を少なくとも具備する。
【００１４】
釣竿のトップガイドの一部を構成し、前記釣竿の竿先の外周に対して嵌合状に取り付けられる嵌合管部の外周及び／又は、釣竿の竿先の外周に対して嵌合状に取り付けされる管状に形成されていることを特徴とする。
【図面の簡単な説明】
【００１５】
【図１】本実施形態の釣竿の全体図。
【図２】図１のトップガイド側の拡大断面図。
【図３】図２の（３）−（３）線断面図。
【図４】他の実施形態を示す釣竿のトップガイド側の拡大断面図。
【図５】図４の（５）−（５）線断面図。
【図６】他の実施形態を示す釣竿のトップガイド側の拡大断面図。
【図７】図６の（７）−（７）線断面図。
【図８】他の実施形態を示す釣竿のトップガイド側の拡大断面図。
【図９】図８の（９）−（９）線断面図。
【発明を実施するための形態】
【００１６】
以下、本発明を実施するための形態を図面に基づいて説明する。
【００１７】
図１は、本実施形態の釣竿１の全体図である。本実施形態の釣竿１は、素材に高強度・高弾性のカーボン繊維が使用されたカーボンプリプレグを、シェイキングに適した調子になるように巻回焼成したワンピースロッドであり、外周にトップガイド２を含む複数のガイド２０と、リールシート２１とが固着されている。本発明の釣竿１は、前述のワンピースロッドに限らず、各種継竿や振出竿を含む。
【００１８】
図２及び図３は、本実施形態のトップガイド２の構成図である。トップガイド２は、釣糸が挿通するガイドリング部２Ａと、ガイドリング部２Ａを支持し、釣竿１の竿先１０の外周に対して嵌合状に取り付けられる嵌合管部２Ｂと、嵌合管部２Ｂと連通するように連設され、竿先１０の外周に対して嵌合して取り付けられる管状の錘３とを備えている。
【００１９】
本明細書でいう竿先１０とは、トップガイド２が嵌合される部位を含むその周辺を意味する。
【００２０】
ガイドリング部２Ａは、ガイドリング２０Ａと、嵌合管部２Ｂと一体に形成され、ガイドリング２０Ａを支持するガイドフレーム２１Ａと、ガイドフレーム２１Ａと嵌合管部２Ｂとを連結する連結フレーム２２Ａとから構成されている。
【００２１】
嵌合管部２Ｂは、内周面が竿先１０の外周面と適合するとともに、竿先１０のテーパと同テーパとした管状体であり、竿先１０に対して固着することで、嵌合取付け状態を保持するようになっている。また、連結フレームの２２Ａの先端が固着されている。ガイド２０は、トップガイド２のガイドリング２０Ａ及びガイドフレーム２１Ａと同様のガイドリング（図示せず）とガイドフレーム（図示せず）を備え、このガイドフレームを釣竿１に固定するための脚部（図示せず）とを備えている。
【００２２】
錘３は、嵌合管部２Ｂをリールシート２１側に向かって延長するように形成され、外周面及び内周面が嵌合管部２Ｂの外周面及び内周面と段差なく連続するとともに、この内周面を竿先１０のテーパと同テーパとした管状体である。すなわち、本実施形態の錘３は、嵌合管部２Ｂが兼用する形態になっている。
【００２３】
錘３の重さは、釣竿１の調子や剛性によって前後するが、釣竿１を水平にしたときに竿先１０が曲がらず、シェイキングをしたときに竿先１０に錘３の重さが作用し、このシェイキングに最適な振り調子となる程度の重さがよく、好ましくは０．１ｇ〜１ｇ、より好ましくは０．３ｇ〜０．６ｇである。
【００２４】
ガイドフレーム２１Ａ、連結フレーム２２Ａ、前述の脚部、嵌合管部２Ｂは、軽量であり防錆機能の高いステンレス材やチタン材が用いられている。また、ガイドリング２０Ａは、軽量であり摩擦係数が低いゴールドサーメット材やＳＩＣ（シリコンカーバイト）材が用いられている。
【００２５】
なお、本発明のトップガイド２及びガイド２０の材質は、前述のステンレス材やチタン材及びゴールドサーメット材やＳＩＣ材に限らず、トップガイド２及びガイド２０に通常用いられる各種素材も使用できる。また、前述のステンレス材やチタン材及びゴールドサーメット材やＳＩＣ材を用いるのは、トップガイド２のみでもよい。
【００２６】
本実施形態の釣竿１によれば、錘３の重さが作用することで竿先１０のモーメントが変わり、シェイキングに最適な振り調子となる。したがって、シェイキングが容易に行えるとともに、シェイキングの強弱調整も容易に行うことができる。しかも、竿先１０と竿先１０以外の部位とに極端な剛性の差がないため、全長にわたって張りを有した細身、かつ軽量なバランスのとれた釣竿１にすることができる。
【００２７】
本実施形態のトップガイド２によれば、前述した効果を有する釣竿１を構成することができる上に、既存の釣竿の竿先に（図示せず）に取り付けることができ、既存の釣竿のトップガイド（図示せず）と交換することもできる。また、重量の異なる錘３を備えたトップガイド２を用意して交換することによって、釣竿１の振り調子を好みに応じて調節することができる。
【００２８】
前述の実施形態では、嵌合管部２Ｂを延長し、延長した部分を錘３としているが、本発明では、嵌合管部２Ｂの肉厚を厚くすることで嵌合管部２Ｂを重くして、嵌合管部２Ｂが錘３を兼用するようにしてもよい（図４、図５参照）。
【００２９】
なお、本実施形態では、図２及び図３に示す実施形態と重複する部位についての説明は、図面に同符号を付すことにより省略した。
【００３０】
前述の実施形態では、トップガイド２と錘３とを一体としているが、本発明では、錘３をトップガイド２と別体にした形態としてもよい。
【００３１】
図６及び図７は、トップガイド２と別体にした錘３の一実施形態の構成図である。錘３は、嵌合管部２Ｂの外周に対して嵌合固着して取り付けるようになっている。また、嵌合管部２Ｂに嵌合された錘３の外周面には、連結フレーム２２Ａの先端部が固着されている。
【００３２】
ここでの固着は、錘３を交換するという目的とした場合、加熱や溶剤により接着力が低下するような接着剤による接着で固着し、錘３を交換しないという場合には、前述の加熱や溶剤により接着力が低下するような接着剤を含む各種接着剤による接着や溶接による溶着で固着する。
【００３３】
本実施形態の錘３によれば、前述の各実施形態のトップガイド２と同等の効果を有するトップガイド２とすることができる。また、釣竿１の振り調子を変えたいときに、錘３だけを交換することができる。
【００３４】
なお、本実施形態では、図２〜図５に示す実施形態と重複する部位についての説明は、図面に同符号を付すことにより省略した。
【００３５】
図８及び図９は、トップガイド２と別体にした錘３の他の実施形態の構成図である。この錘３は、２つの錘部材３Ａ、３Ｂをからなり、この錘部材３Ａ、３Ｂを連結することにより、錘３の内外周面が図６及び図７に示す錘３の内外周面と同形状の管状体となるように構成されている。
【００３６】
錘部材３Ａ、３Ｂは、図６及び図７に示す錘３を径方向に２分割した形状のものであり、この錘部材３Ａ、３Ｂで嵌合管部２Ｂを径方向から挟持するとともに、嵌合管部２Ｂに対して固着することによって取り付けるようになっている。
【００３７】
ここでの固着は、錘３を交換するという目的とした場合、加熱や溶剤により接着力が低下するような接着剤による接着で固着し、錘３を交換しないという場合には、前述の加熱や溶剤により接着力が低下するような接着剤を含む各種接着剤による接着や溶接による溶着で固着する。
【００３８】
トップガイド２と別体にした実施形態の錘３の取付け対象部位は、嵌合管部２Ｂに限らず、嵌合管部２Ｂの後方の竿先１０の外周でもよい（図示せず）。また、錘３の分割数は、２個に限らず３個以上でもよい（図示せず）。また、錘３の形態は、例示した管状体に限らず、例えば、板錘や糸錘のような形態として、この板錘や糸錘を竿先１０や嵌合管部２Ｂの外周に巻き付けるようにしてもよい（図示せず）。
【００３９】
本実施形態の錘３によれば、トップガイド２を取外さずに嵌合管部２Ｂに対して取付け又は着脱ができるので、既存の釣竿に対する錘３の取付け又は着脱の容易性が向上する。
【００４０】
なお、本実施形態では、図２〜図７に示す実施形態と重複する部位についての説明は、図面に同符号を付すことにより省略した。
【００４１】
以上説明したとおり、本実施形態の釣竿１及びトップガイド２並びに錘３は、竿先とこの竿先以外の部位との剛性を変えずに、シェイキングに適した釣竿１にすることができる。
【符号の説明】
【００４２】
１：釣竿  ２：トップガイド  ３：錘  ２Ａ：ガイドリング部
２Ｂ：嵌合管部  １０：竿先  ３Ａ：錘部材  ３Ｂ：錘部材
【図１】
2011135778.tif 000003
【図２】
2011135778.tif 000004
【図３】
2011135778.tif 000005
【図４】
2011135778.tif 000006
【図５】
2011135778.tif 000007
【図６】
2011135778.tif 000008
【図７】
2011135778.tif 000009
【図８】
2011135778.tif 000010
【図９】
2011135778.tif 000011